(57)【特許請求の範囲】
【請求項１】
フィルタと、前記フィルタが組み込まれる枠体と、前記フィルタの一面の周縁部を前記枠体のフィルタ受け面に押し付けるフィルタ押付機構とを備えたフィルタ装置において、
前記フィルタ押付機構は、前記フィルタの他面の周縁部とこれに対向する前記枠体のフィルタ保持面との間に配され、前記枠体またはフィルタに固定される一端部からフィルタの他面に対して傾斜した方向に延びる傾斜部とこの傾斜部の他端側に形成される押圧部を有する板ばねと、前記板ばねに沿って延び、前記板ばねの一端部を除く部位に連結された操作部材と、前記操作部材を所定の係止位置で係止する係止手段とを備え、前記操作部材を長手方向に移動させて前記係止位置で係止したときに、前記板ばねの傾斜部と前記フィルタの他面とのなす角度が大きくなって、前記板ばねの押圧部で前記フィルタの他面または枠体のフィルタ保持面を押圧するものとしたことを特徴とするフィルタ装置。
【請求項２】
複数のフィルタと、前記各フィルタが一列に並ぶ状態で組み込まれる一つの枠体と、前記各フィルタの一面の周縁部を前記枠体のフィルタ受け面に押し付けるフィルタ押付機構とを備えたフィルタ装置において、
前記フィルタ押付機構は、前記各フィルタの他面の周縁部とこれに対向する前記枠体のフィルタ保持面との間に少なくとも一つずつ配され、前記枠体に固定される一端部からフィルタの他面に対して傾斜した方向に延びる傾斜部とこの傾斜部の他端側に形成される押圧部を有する複数の板ばねと、前記各板ばねに沿って延び、前記各板ばねの一端部を除く部位に連結された一つの操作部材と、前記操作部材を所定の係止位置で係止する係止手段とを備え、前記操作部材を長手方向に移動させて前記係止位置で係止したときに、前記各板ばねの傾斜部と前記フィルタの他面とのなす角度が大きくなって、前記各板ばねの押圧部で前記各フィルタの他面を押圧するものとしたことを特徴とするフィルタ装置。
【請求項３】
濾材の周縁部をフィルタ枠で覆ったフィルタと、前記フィルタが組み込まれる枠体と、前記フィルタの一面側でフィルタ枠の側壁の外側面を前記枠体のフィルタ受け面に押し付けるフィルタ押付機構とを備えたフィルタ装置において、
前記フィルタ押付機構は、前記フィルタ枠の内側に配され、前記フィルタ枠に固定される一端部からフィルタの他面に対して傾斜した方向に延びる傾斜部とこの傾斜部の他端側に形成される押圧部を有する板ばねと、前記板ばねに沿って延び、前記板ばねの一端部を除く部位に連結された操作部材と、前記操作部材を所定の係止位置で係止する係止手段とを備え、前記操作部材を長手方向に移動させて前記係止位置で係止したときに、前記板ばねの傾斜部と前記フィルタの他面とのなす角度が大きくなって、前記フィルタの他面側で、前記フィルタ枠の側壁に設けた窓から突出した前記板ばねの押圧部で、前記フィルタ枠の側壁の外側面と対向する前記枠体のフィルタ保持面を押圧するものとしたことを特徴とするフィルタ装置。
【請求項４】
濾材の周縁部をフィルタ枠で覆った複数のフィルタと、前記各フィルタが一列に並ぶ状態で組み込まれる一つの枠体と、前記各フィルタの一面側で各フィルタ枠の側壁の外側面を前記枠体のフィルタ受け面に押し付けるフィルタ押付機構とを備えたフィルタ装置において、
前記フィルタ押付機構は、前記各フィルタ枠の内側に少なくとも一つずつ配され、前記フィルタ枠に固定される一端部からフィルタの他面に対して傾斜した方向に延びる傾斜部とこの傾斜部の他端側に形成される押圧部を有する複数の板ばねと、前記各板ばねに沿って延び、前記板ばねの一端部を除く部位に連結された複数の操作部材と、前記各操作部材どうしを連結する連結手段と、前記操作部材のうちの一つを操作して各操作部材を所定の係止位置で係止する係止手段とを備え、前記各操作部材を長手方向に移動させて前記係止位置で係止したときに、前記各板ばねの傾斜部と前記フィルタの他面とのなす角度が大きくなって、前記フィルタの他面側で、前記各フィルタ枠の側壁に設けた窓から突出した前記各板ばねの押圧部で、前記各フィルタ枠の側壁の外側面と対向する前記枠体のフィルタ保持面を押圧するものとしたことを特徴とするフィルタ装置。
【請求項５】
前記フィルタ押付機構の板ばねの傾斜部および押圧部を、その押圧部が押圧する面に向かって凸となる湾曲部とし、この板ばねの湾曲部の他端側の部位を前記操作部材に連結し、前記操作部材を長手方向に移動させて前記係止位置で係止したときに、前記板ばねの湾曲部の湾曲が大きくなるようにしたことを特徴とする請求項１乃至４のいずれかに記載のフィルタ装置。
【請求項６】
前記板ばねの湾曲部に、前記操作部材を通し、操作部材の長手方向移動を案内する長孔を設けたことを特徴とする請求項５に記載のフィルタ装置。
【請求項７】
前記操作部材は、直軸状に形成されて、その軸心まわりに回動自在に保持されるものであり、前記係止手段は、前記操作部材の外周面に径方向に張り出す張出片を設けるとともに、前記操作部材の回動方向で張出片と対向する係止部が操作部材の長手方向に沿って階段状に形成された係止片と、前記操作部材の張出片を前記係止片の係止部に押し付ける付勢ばねを設けて、前記操作部材を複数の係止位置で係止可能としたものであることを特徴とする請求項１乃至６のいずれかに記載のフィルタ装置。
【請求項８】
前記フィルタ押付機構の板ばね、操作部材および係止手段と、前記板ばねの一端部が固定され、前記枠体またはフィルタに取り付けられる取付板とをユニット化したことを特徴とする請求項１乃至７のいずれかに記載のフィルタ装置。
【請求項９】
請求項８に記載のフィルタ装置に組み込まれ、前記板ばね、操作部材および係止手段を備えたフィルタ押付機構と、前記板ばねの一端部が固定され、前記枠体またはフィルタに取り付けられる取付板とからなるフィルタ押付ユニット。
【発明の詳細な説明】
【技術分野】
【０００１】
本発明は、ダクト等の内側に取り付けられる枠体にフィルタを組み込んだフィルタ装置と、そのフィルタを枠体に押付固定するフィルタ押付ユニットに関する。
【背景技術】
【０００２】
ビルや工場の空調や換気に用いられる空気清浄装置は、一般に、フィルタボックスやダクト等の内側（空気通路）に取り付けられる取付枠等の枠体にフィルタを組み込んだフィルタ装置を設け、そのフィルタに対して空気を通過させることにより、空気に含まれている異物をフィルタで捕捉して、空気を清浄化している。そして、そのフィルタ装置では、フィルタが捕捉した異物が増えるにつれて濾過性能が低下するため、定期的にフィルタの交換ができるように、フィルタを枠体に着脱可能に組み込んだものが多い。
【０００３】
ところで、上記のようにフィルタを枠体に着脱可能に組み込んだフィルタ装置では、その濾過性能を確保するために、フィルタの一面の周縁部を枠体のフィルタ受け面に密着させた状態を維持する必要がある。このため、従来は、ネジでフィルタを枠体のフィルタ受け面に固定したり、フィルタ他面と対向するように枠体に固定したばねでフィルタを枠体のフィルタ受け面に押し付けて固定したりしていた。
【０００４】
しかし、ネジを用いる方法では、フィルタを着脱する際に多数のネジの抜き取りおよび締め付けに時間がかかり、フィルタ交換作業が面倒なものとなる。一方、固定のばねを用いる方法では、フィルタの着脱の際に、ばねの弾性力に抗してフィルタの周縁部を枠体のフィルタ受け面とばねとの間に圧入したり引き出したりすることになるので、フィルタの一面の周縁部にガスケット等の気密材を貼り付けている場合、その気密材がフィルタ受け面との間に生じる摺動抵抗によって剥がれてしまい、その補修作業に手間がかかることがある。
【０００５】
これに対し、特許文献１で提案されているフィルタ装置では、フィルタが組み込まれるケーシング（枠体）にフィルタを出し入れするための開口部を設けて、その開口部を扉で開閉するようにし、ケーシング内のフィルタ他面側にフィルタ挿入方向と平行に移動可能な可動部材と、可動部材に重ね合わせられる固定部材と、一端部を可動部材に取り付けられる第１リンク部材と、一端部を固定部材に取り付けられる第２リンク部材と、第１リンク部材と第２リンク部材のそれぞれの他端部に取り付けられる押付部材とを設けて、扉を閉めたときにその内側面に設けた押さえ部材で可動部材を移動させることにより、第１リンク部材の一端部と第２リンク部材の一端部との間隔が小さくなり、押付部材がフィルタ側に前進して、フィルタの一面の周縁部をケーシングの当接用部材（フィルタ受け面）に押し付けるようにしている。このような構成とすれば、フィルタ交換に手間がかからないし、フィルタを着脱する際にフィルタに貼り付けた気密材が剥がれるおそれもない。
【先行技術文献】
【特許文献】
【０００６】
【特許文献１】特開２０１１−２００９５号公報
【発明の概要】
【発明が解決しようとする課題】
【０００７】
しかしながら、上記特許文献１に記載されたフィルタ装置では、ケーシングの扉を閉めたときに、扉に設けた押さえ部材で可動部材を移動させ、可動部材と固定部材との間に設けたリンク機構によってフィルタをケーシングの当接用部材に押し付けるようにしているので、リンク機構を構成する複数の部材や、扉を開けたときにリンク機構によるフィルタの押し付けを解除するためのばねが必要になる等、部品点数が多く構造が複雑で、製造コストが高くなるという問題がある。
【０００８】
また、ケーシングの扉を閉状態で保持することによってフィルタをケーシングの当接用部材に押し付けた状態が維持されるようになっているので、扉のない仕様の枠体を用いたフィルタ装置には適用することができない。
【０００９】
そこで、本発明は、部品点数が少なく簡単な構造で濾過性能を確保でき、フィルタの交換も容易に行えるフィルタ装置を提供することを課題とする。
【課題を解決するための手段】
【００１０】
上記の課題を解決するために、本発明は、フィルタと、前記フィルタが組み込まれる枠体と、前記フィルタの一面の周縁部を前記枠体のフィルタ受け面に押し付けるフィルタ押付機構とを備えたフィルタ装置において、前記フィルタ押付機構は、前記フィルタの他面の周縁部とこれに対向する前記枠体のフィルタ保持面との間に配され、前記枠体またはフィルタに固定される一端部からフィルタの他面に対して傾斜した方向に延びる傾斜部とこの傾斜部の他端側に形成される押圧部を有する板ばねと、前記板ばねに沿って延び、前記板ばねの一端部を除く部位に連結された操作部材と、前記操作部材を所定の係止位置で係止する係止手段とを備え、前記操作部材を長手方向に移動させて前記係止位置で係止したときに、前記板ばねの傾斜部と前記フィルタの他面とのなす角度が大きくなって、前記板ばねの押圧部で前記フィルタの他面または枠体のフィルタ保持面を押圧するものとした。
【００１１】
すなわち、フィルタの一面の周縁部を枠体のフィルタ受け面に押し付けるフィルタ押付機構として、フィルタの他面の周縁部とこれに対向する枠体のフィルタ保持面との間に配され、枠体またはフィルタに固定される一端部からフィルタの他面に対して傾斜した方向に延びる傾斜部とこの傾斜部の他端側に形成される押圧部を有する板ばねを、その傾斜部とフィルタ他面とのなす角度が大きくなるように操作部材で弾性変形させて、その押圧部でフィルタの他面または枠体のフィルタ保持面を押圧するものを採用することにより、前述した従来のリンク機構を有するものよりも部品点数が少なく簡単な構造で濾過性能を確保でき、しかもネジや固定のばねを用いる方法に比べて容易にフィルタ交換が行えるようにしたのである。
【００１２】
また、複数のフィルタと、前記各フィルタが一列に並ぶ状態で組み込まれる一つの枠体と、前記各フィルタの一面の周縁部を前記枠体のフィルタ受け面に押し付けるフィルタ押付機構とを備えたフィルタ装置の場合は、前記フィルタ押付機構として、前記各フィルタの他面の周縁部とこれに対向する前記枠体のフィルタ保持面との間に少なくとも一つずつ配され、前記枠体に固定される一端部からフィルタの他面に対して傾斜した方向に延びる傾斜部とこの傾斜部の他端側に形成される押圧部を有する複数の板ばねと、前記各板ばねに沿って延び、前記各板ばねの一端部を除く部位に連結された一つの操作部材と、前記操作部材を所定の係止位置で係止する係止手段とを備え、前記操作部材を長手方向に移動させて前記係止位置で係止したときに、前記各板ばねの傾斜部と前記フィルタの他面とのなす角度が大きくなって、前記各板ばねの押圧部で前記各フィルタの他面を押圧するものを採用するとよい。
【００１３】
一方、濾材の周縁部をフィルタ枠で覆ったフィルタと、前記フィルタが組み込まれる枠体と、前記フィルタの一面側でフィルタ枠の側壁の外側面を前記枠体のフィルタ受け面に押し付けるフィルタ押付機構とを備えたフィルタ装置においては、前記フィルタ押付機構として、前記フィルタ枠の内側に配され、前記フィルタ枠に固定される一端部からフィルタの他面に対して傾斜した方向に延びる傾斜部とこの傾斜部の他端側に形成される押圧部を有する板ばねと、前記板ばねに沿って延び、前記板ばねの一端部を除く部位に連結された操作部材と、前記操作部材を所定の係止位置で係止する係止手段とを備え、前記操作部材を長手方向に移動させて前記係止位置で係止したときに、前記板ばねの傾斜部と前記フィルタの他面とのなす角度が大きくなって、前記フィルタの他面側で、前記フィルタ枠の側壁に設けた窓から突出した前記板ばねの押圧部で、前記フィルタ枠の側壁の外側面と対向する前記枠体のフィルタ保持面を押圧するものを採用することができる。このようにすれば、フィルタ押付機構をフィルタ枠の外側に設けた場合に比べて、フィルタの他面側の外観がすっきりするし、フィルタ取扱い時のフィルタ押付機構の部品によるケガを生じにくくすることができる。
【００１４】
そして、濾材の周縁部をフィルタ枠で覆った複数のフィルタと、前記各フィルタが一列に並ぶ状態で組み込まれる一つの枠体と、前記各フィルタの一面側で各フィルタ枠の側壁の外側面を前記枠体のフィルタ受け面に押し付けるフィルタ押付機構とを備えたフィルタ装置の場合は、前記フィルタ押付機構として、前記各フィルタ枠の内側に少なくとも一つずつ配され、前記フィルタ枠に固定される一端部からフィルタの他面に対して傾斜した方向に延びる傾斜部とこの傾斜部の他端側に形成される押圧部を有する複数の板ばねと、前記各板ばねに沿って延び、前記板ばねの一端部を除く部位に連結された複数の操作部材と、前記各操作部材どうしを連結する連結手段と、前記操作部材のうちの一つを操作して各操作部材を所定の係止位置で係止する係止手段とを備え、前記各操作部材を長手方向に移動させて前記係止位置で係止したときに、前記各板ばねの傾斜部と前記フィルタの他面とのなす角度が大きくなって、前記フィルタの他面側で、前記各フィルタ枠の側壁に設けた窓から突出した前記各板ばねの押圧部で、前記各フィルタ枠の側壁の外側面と対向する前記枠体のフィルタ保持面を押圧するものを採用するとよい。
【００１５】
前記フィルタ押付機構の具体的な構成としては、前記板ばねの傾斜部および押圧部を、その押圧部が押圧する面に向かって凸となる湾曲部とし、この板ばねの湾曲部の他端側の部位を前記操作部材に連結し、前記操作部材を長手方向に移動させて前記係止位置で係止したときに、前記板ばねの湾曲部の湾曲が大きくなるようにしたものを採用することができる。
【００１６】
上記の構成において、前記板ばねの湾曲部に、前記操作部材を通し、操作部材の長手方向移動を案内する長孔を設けるようにすれば、操作部材の移動方向が長手方向からずれにくくなり、板ばねの湾曲部を幅方向に均一に弾性変形させやすくなるので、フィルタとフィルタ受け面とをより確実に密着させて濾過性能の向上を図ることができる。また、板ばねを枠体の幅方向に複数設ける際に、複数の板ばねの長孔に共通の操作部材が通されるように板ばねと操作部材を配置して、フィルタ押付機構の構造を簡素化することができる。
【００１７】
また、前記操作部材が、直軸状に形成されて、その軸心まわりに回動自在に保持されるものである場合に、前記係止手段は、前記操作部材の外周面に径方向に張り出す張出片を設けるとともに、前記操作部材の回動方向で張出片と対向する係止部が操作部材の長手方向に沿って階段状に形成された係止片と、前記操作部材の張出片を前記係止片の係止部に押し付ける付勢ばねを設けて、前記操作部材を複数の係止位置で係止可能としたものを採用することができる。このようにすれば、フィルタを厚み寸法の異なるものに交換したときや、フィルタに貼り付けられたガスケット等の気密材が経時劣化したときに、操作部材の係止位置を変えることにより、板ばねの弾性変形の大きさを調整して、適切な締め付け強度でフィルタとフィルタ受け面とを密着させ、濾過性能を確保することができる。
【００１８】
さらに、前記フィルタ押付機構の板ばね、操作部材および係止手段と、前記板ばねの一端部が固定され、前記枠体またはフィルタに取り付けられる取付板とをユニット化することにより、フィルタ装置の組み立てが容易になる。
【００１９】
そして、上述したフィルタ装置に組み込まれ、前記板ばね、操作部材および係止手段を備えたフィルタ押付機構と、前記板ばねの一端部が固定され、前記枠体またはフィルタに取り付けられる取付板とからなる本発明のフィルタ押付ユニットは、種々の仕様のフィルタ装置に組み込める汎用性の高いものとなるので、このフィルタ押付ユニットを組み込むことによりフィルタ装置全体の製作コストの低減が図れる。
【発明の効果】
【００２０】
本発明のフィルタ装置は、上述したように、フィルタの一面の周縁部を枠体のフィルタ受け面に押し付けるフィルタ押付機構として、フィルタの他面と枠体との間に配される板ばねを、その傾斜部とフィルタ他面とのなす角度が大きくなるように操作部材で弾性変形させるものを採用したので、部品点数が少なく簡単な構造で濾過性能を確保でき、フィルタ交換も容易に行うことができる。また、本発明は、必ずしも枠体の扉を必要としないので、扉のない仕様の枠体を用いたフィルタ装置にも適用が可能である。
【００２１】
また、本発明のフィルタ押付ユニットは、上述したフィルタ押付機構と枠体またはフィルタに取り付けられる取付板とからなるものであるから、種々の仕様のフィルタ装置に組み込んで、そのフィルタ装置全体の製作コストの低減を図ることができるし、既製のフィルタ装置に後付けしてそのフィルタ装置の濾過性能を向上させることができる。
【図面の簡単な説明】
【００２２】
【図１】第１実施形態のフィルタ装置の外観斜視図
【図２】図１のフィルタ押付機構の要部の分解斜視図
【図３】図２の板ばねに鉄芯を通した状態の背面図
【図４】ａ、ｂは、それぞれ図３のＡ−Ａ線、Ｂ−Ｂ線に沿った断面図
【図５】図１のフィルタ押付機構の組込状態の横断平面図
【図６】図１のフィルタ装置のフィルタ着脱動作の説明図
【図７】ａは鉄芯と板ばねとの連結構造の変形例示す縦断正面図、ｂはａのＣ−Ｃ線に沿った断面図
【図８】操作部材の係止解除機構の変形例の外観斜視図
【図９】ａ、ｂは、それぞれ図８の係止解除機構の構造と動作を説明する横断平面図
【図１０】第２実施形態のフィルタ装置の外観斜視図
【図１１】図１０の要部拡大斜視図
【図１２】図１０のフィルタ押付機構の組込状態の横断平面図
【図１３】図１０のフィルタ装置のフィルタ着脱動作の説明図
【図１４】ａは第３実施形態のフィルタ装置のフィルタ押付機構の構造とフィルタ着脱動作を説明する横断平面図、ｂ、ｃは、それぞれａの操作部材の移動量を変更する手段の一例の説明図
【図１５】第４実施形態のフィルタ装置の要部の外観斜視図
【図１６】図１５のフィルタ押付機構の要部の分解斜視図
【図１７】第５実施形態のフィルタ装置のフィルタの外観斜視図
【図１８】図１７のフィルタ押付機構の要部の分解斜視図
【図１９】図１７のフィルタ押付機構の組込状態の横断平面図
【図２０】図１７のフィルタ装置のフィルタ着脱動作の説明図
【図２１】実施形態のフィルタ押付ユニットの外観斜視図
【図２２】第１実施形態において図２１のフィルタ押付ユニットを組み込んだ変形例を示す横断平面図
【図２３】第５実施形態において図２１のフィルタ押付ユニットを組み込んだ変形例を示す横断平面図
【図２４】ａはフィルタ押付ユニットの変形例の外観斜視図、ｂはａの要部拡大図
【図２５】第６実施形態のフィルタ装置の要部の横断平面図
【図２６】ａは図２５中のフィルタ押付ユニットの要部拡大平面図、ｂはａのＤ−Ｄ線に沿った断面図
【図２７】図２５のフィルタ装置のフィルタ着脱動作を説明する横断平面図
【図２８】ａは図２７中のフィルタ押付ユニットの要部拡大平面図、ｂはａのＥ−Ｅ線に沿った断面図
【図２９】ａはフィルタ押付ユニットの別の変形例の外観斜視図、ｂはａの要部拡大図
【図３０】第７実施形態のフィルタ装置の要部の横断平面図
【図３１】図３０のＦ−Ｆ線に沿った拡大断面図
【図３２】図３０のフィルタ装置のフィルタ着脱動作を説明する横断平面図
【図３３】図３２のＧ−Ｇ線に沿った断面図
【図３４】第８実施形態のフィルタ装置の分解斜視図
【図３５】図３４のフィルタ装置の正面図
【図３６】図３４のフィルタ装置に組み込まれたフィルタ押付ユニットの外観斜視図
【図３７】第９実施形態のフィルタ装置の分解斜視図
【図３８】図３７のフィルタ装置の正面図
【図３９】図３７のフィルタ装置に組み込まれたフィルタ押付ユニットの分解斜視図
【図４０】図３９のフィルタ押付ユニットの組込状態の横断平面図
【図４１】図３７のフィルタ装置のフィルタ着脱動作の説明図
【図４２】第１０実施形態のフィルタ装置のフィルタの外観斜視図
【図４３】図４２のフィルタに組み込まれたフィルタ押付ユニットの外観斜視図
【図４４】図４２のフィルタの要部の縦断正面図
【図４５】図４４のＨ−Ｈ線に沿った断面図
【図４６】図４４のＩ−Ｉ線に沿った断面図
【図４７】図４５に対応して図４２のフィルタの着脱動作を説明する断面図
【図４８】図４６に対応して図４２のフィルタの着脱動作を説明する断面図
【図４９】第１１実施形態のフィルタ装置のフィルタの外観斜視図
【図５０】図４９のフィルタに組み込まれたフィルタ押付ユニットの外観斜視図
【図５１】図２４のフィルタ押付ユニットの変形例の要部の外観斜視図
【図５２】第１２実施形態のフィルタ装置の要部の横断平面図
【図５３】ａは図５２中のフィルタ押付ユニットの要部拡大平面図、ｂはａのＪ−Ｊ線に沿った断面図
【図５４】図５２のフィルタ装置のフィルタ着脱動作を説明する横断平面図
【図５５】ａは図５４中のフィルタ押付ユニットの要部拡大平面図、ｂはａのＫ−Ｋ線に沿った断面図
【図５６】第１３実施形態のフィルタ装置の分解斜視図
【図５７】図５６のフィルタ装置の正面図
【図５８】図５６のフィルタ装置に組み込まれたフィルタ押付ユニットの第１分割ユニットの外観斜視図
【図５９】図５８の第１分割ユニットの組込状態の横断平面図
【図６０】ａ〜ｃは、それぞれ第１〜第３分割ユニットの平面図
【図６１】図５６のフィルタ装置のフィルタどうしおよび分割ユニットどうしの連結機構を説明する横断平面図
【発明を実施するための形態】
【００２３】
以下、図面に基づき、本発明の実施形態を説明する。図１乃至図６は第１の実施形態を示す。このフィルタ装置は、図１に示すように、前面から後面に空気を通す取付枠（枠体）１と、取付枠１に着脱可能に組み込まれるフィルタ２とを備えている。
【００２４】
前記取付枠１は、矩形の開口を有する平板状の取付部１１の前面に、その開口の三辺に沿うコの字形をなすようにガイドレール１２を固定したもので、取付部１１で図示省略したフィルタボックスやダクト等の内側（空気通路）に取り付けられ、一側（図１の左側）からガイドレール１２のなすコの字の内側へフィルタ２をスライドさせて組み込むようになっている。そのガイドレール１２は、断面略Ｊ字形に形成されており、取付部１１の開口の上辺と下辺に沿う部分の略Ｊ字形断面の内側に、フィルタ２の後面（一面）の周縁部を取付枠１のフィルタ受け面１３となる取付部１１前面に押し付けるフィルタ押付機構３が設けられている。
【００２５】
前記フィルタ２は、矩形板状に形成された濾材２１の周縁部を取付枠１のガイドレール１２に嵌まり込む矩形のフィルタ枠２２で覆ったもので、濾材２１の前面には補強用線材２３を後面には補強用の金属製網（図示省略）をそれぞれ配して、空気が通過するときに濾材２１がフィルタ枠２２から抜け落ちないようにしている。また、フィルタ枠２２の後面側の側壁の外側面には、取付枠１のフィルタ受け面１３との間をシールするガスケット２４が貼り付けられている。
【００２６】
前記フィルタ押付機構３は、図２および図５に示すように、フィルタ２の前面（他面）の周縁部（フィルタ枠２２の前面）とこれに対向する取付枠１のフィルタ保持面１４となるガイドレール１２の内側面との間に配され、そのフィルタ保持面１４に一端部４ａを固定される板ばね４と、板ばね４の長手方向に沿って延びるように配される丸棒状の鉄芯５の他端部に筒状の樹脂製キャップ６を装着した操作部材７と、操作部材７のキャップ６の側面と対向する位置に配される係止片８と、操作部材７のキャップ６を係止片８に押し付ける方向に付勢する補助ばね９とからなる。なお、板ばね４は、図２および図５では１つだけ図示しているが、実際には取付枠１の幅方向の２箇所に配されている（図１参照）。
【００２７】
前記各板ばね４は、取付枠１のフィルタ保持面１４に固定される一端部４ａとフィルタ２前面に対して垂直に延びる他端部４ｂとの間に、フィルタ２前面に向かって凸となる湾曲部４ｃが形成されている。その湾曲部４ｃは、両端部４ａ、４ｂからフィルタ２の前面に対して傾斜した方向に延びる傾斜部と、両傾斜部の間で後述するようにフィルタ２前面を押圧する押圧部とからなる。また、湾曲部４ｃの両端近傍位置には操作部材７の鉄芯５を通す長孔４ｄ、４ｅがあけられ、他端部４ｂには後述するように鉄芯５と連結するための切欠き４ｆが設けられている。そして、湾曲部４ｃの長孔４ｄ、４ｅは、鉄芯５の外径とほぼ同じ幅で板ばね４の長手方向に延びており（図３、図４参照）、湾曲部４ｃの弾性変形に合わせて鉄芯５を通す位置を変えながら、鉄芯５の板ばね４幅方向の動きを規制して、鉄芯５（操作部材７）の長手方向移動を案内するようになっている。
【００２８】
前記操作部材７は、鉄芯５の長手方向の２箇所に小径部５ａが形成されており、これらの各小径部５ａが板ばね４の他端部４ｂの切欠き４ｆに嵌まり込むことによって各板ばね４と連結されている。そして、鉄芯５の小径部５ａの一端側に連続する部分が板ばね４の２つの長孔４ｄ、４ｅに通され、鉄芯５の他端部に装着されたキャップ６がガイドレール１２の端面から一部突出する状態で、長手方向移動可能に保持されている。また、キャップ６の外周面には環状溝６ａが形成され、この環状溝６ａで後述するように係止片８に係止されるようになっている。
【００２９】
前記係止片８は、鉤状に形成され、その先端部８ａが操作部材７の一端側を向く姿勢で取付枠１のフィルタ保持面１４に固定されている。そして、操作部材７が図５に示す初期位置から所定の係止位置に移動すると、係止片８の先端部８ａがキャップ６の環状溝６ａに嵌まり込んで操作部材７を係止するようになっている（図６参照）。
【００３０】
また、前記補助ばね９は、先端側に孔９ａがあけられた平板をその孔９ａよりも基端側で折り曲げて断面くの字状に形成したものであり、その孔９ａに通した操作部材７の鉄芯５と係合して曲げ角度が大きくなる方向に弾性変形した状態で、折り曲げ位置よりも基端側の部位を取付枠１のフィルタ保持面１４に固定されて、操作部材７のキャップ６を係止片８に押し付けている。
【００３１】
次に、図５および図６に基づいて、このフィルタ装置のフィルタ着脱動作について説明する。フィルタ２を取付枠１に組み込むときは、図５に示したように、フィルタ押付機構３の操作部材７が初期位置にある状態で、フィルタ２を取付枠１の一側からガイドレール１２のなすコの字の内側へスライドさせていく。このとき、フィルタ押付機構３はフィルタ２と干渉しないので、フィルタ２をスムーズに取付枠１にセットすることができる。
【００３２】
そして、図５の状態から、フィルタ押付機構３の操作部材７のキャップ６をガイドレール１２のＪ字形断面の内側へ押し込んで操作部材７を所定の係止位置まで移動させると、図６に示したように、補助ばね９の弾性力によりキャップ６の環状溝６ａに係止片８の先端部８ａが嵌まり込んで操作部材７が係止される。このとき、フィルタ押付機構３の各板ばね４は、操作部材７の長手方向移動に伴って、操作部材７の鉄芯５に連結された他端部４ｂが取付枠１のフィルタ保持面１４に固定された一端部４ａに近づき、湾曲部４ｃの湾曲が大きくなって、その湾曲部４ｃでフィルタ２の前面を押圧する。すなわち、板ばね４は、弾性変形によって、湾曲部４ｃのうちの傾斜部とフィルタ２前面とのなす角度が大きくなって、両傾斜部の間の押圧部でフィルタ２の前面（フィルタ枠２２の前面側の側壁の外側面）を押圧する。これにより、フィルタ２の後面（フィルタ枠２２の後面側の側壁の外側面）に設けられたガスケット２４が取付枠１のフィルタ受け面１３に押し付けられた状態でフィルタ２が取付枠１に固定され、フィルタ２の組み込みが完了する。
【００３３】
一方、フィルタ２を取付枠１から取り外すときは、図６の状態から、操作部材７のキャップ６を補助ばね９の弾性力に抗してフィルタ２側へ押して、キャップ６の環状溝６ａを係止片８の先端部８ａから外す。これにより、操作部材７の係止状態が解除され、各板ばね４の湾曲部４ｃが弾性復元して自動的に図５の状態に戻るので、フィルタ２の取付枠１への押し付け状態も解除される。したがって、従来のフィルタ押し付け状態解除用のばねは設ける必要がない。その後、フィルタ２を組み込み時と逆にスライドさせて取付枠１から引き出せばよい。
【００３４】
このフィルタ装置は、上述したように、フィルタ押付機構３の板ばね４の湾曲部４ｃの湾曲を大きくしてフィルタ２を取付枠１のフィルタ受け面１３に押し付けるようにしたので、従来のリンク機構を有するものよりも部品点数が少なく簡単な構造で濾過性能を確保できるし、ネジや固定のばねを用いる方法に比べて容易にフィルタ２の交換を行うことができる。
【００３５】
ここで、板ばね４の湾曲部４ｃを変形させる操作部材７は、その鉄芯５が板ばね４の湾曲部４ｃの長孔４ｄ、４ｅに通されて長手方向移動を案内されるようにしたので、操作部材７の移動方向が長手方向からずれにくく、板ばね４の湾曲部４ｃが幅方向にほぼ均一に弾性変形して、フィルタ２とフィルタ受け面１３とを確実に密着させるようになっており、このことも濾過性能の向上に寄与している。
【００３６】
また、この実施形態では、板ばね４を取付枠１の幅方向に２つ設けているが、２つの板ばね４の長孔４ｄ、４ｅに共通の操作部材７の鉄芯５を通すことにより、フィルタ押付機構３の構造の簡素化が図られている。
【００３７】
なお、操作部材７のキャップ６を係止片８に押し付ける補助ばね９は必ずしも設けなくてもよく、補助ばね９の代わりに鉄芯５を通す孔をあけたガイドを設けてもよいが、この実施形態のように補助ばね９を設けた方が、操作部材７を所定の係止位置で確実に係止することができ好ましい。また、この補助ばね９の効果をより確実にするためには、補助ばね９を係止片８にできるだけ接近させて設けることが望ましい。
【００３８】
また、操作部材７の鉄芯５と板ばね４との連結構造は、上述のように鉄芯５の小径部５ａを板ばね４の他端部４ｂの切欠き４ｆに嵌め込むものに限らず、操作部材７のキャップ６を押すと板ばね４が弾性変形するようになっていればよく、例えば図７（ａ）、（ｂ）に示すように、板ばね４の他端部４ｂに設けた孔４ｇに鉄芯５を通し、その鉄芯５の小径部５ａに嵌め込んだＥリング１６を板ばね４の他端部４ｂのキャップ６側の面に当接させるものとすることもできる。
【００３９】
さらに、操作部材７が係止片８に係止された状態を解除するための機構として、図８および図９（ａ）に示すように、操作部材７のキャップ６の環状溝６ａよりも一端側の側面に、線材を折り曲げて形成した解除片１０の両方の周方向端部を回動自在に取り付けたものを採用することもできる。この解除機構では、図９（ａ）に示した状態（キャップ６の環状溝６ａに係止片８の先端部８ａが嵌まり込んだ状態）から、解除片１０を手前側に（図中の矢印方向に）回動させることにより、図９（ｂ）に示すように、解除片１０の回動軸近傍で係止片８の先端部８ａを押してキャップ６の環状溝６ａを係止片８の先端部８ａから外すようになっており、てこの原理を利用しているので、上述のようにキャップ６自体を係止片８から離れる方向へ押す方法に比べて、操作部材７の係止状態の解除操作が容易である。
【００４０】
図１０乃至図１３は第２の実施形態を示す。なお、第１実施形態と同じ機能を有する部材には同じ記号を付けて説明を省略する（後述する第３乃至第１３の実施形態についても同じ。）。
【００４１】
この第２実施形態では、フィルタ２の取付枠１への組込方式をいわゆるケンドン式としている。すなわち、図１０に示すように、取付枠１の取付部１１の前面には、第１実施形態のガイドレール１２に代わる矩形枠状のガイドレール１５が固定されており、そのガイドレール１５は、上辺部および下辺部が第１実施形態と同じく断面略Ｊ字形に形成され、両側辺部が帯板状に形成されている。そして、フィルタ２を取付枠１に組み込む際には、フィルタ２を後面側へ傾けてその上縁部を取付枠１の前面側からガイドレール１５の上辺部の内側へ差し込んだ後、フィルタ２を取付枠１と平行にしてその下縁部をガイドレール１５の下辺部の内側へ落とし込むようになっている。
【００４２】
また、この第２実施形態のフィルタ押付機構３は、図１１乃至図１３にも示すように、板ばね４、操作部材７、係止片８および補助ばね９は、その一端側と他端側が第１実施形態と逆になるように配置されており、操作部材７のキャップ６装着部の近傍で鉄芯５に設けたＵ字状の操作片１７を、ガイドレール１５にあけられた長孔１８から前面側へ突出させている。その長孔１８は、操作片１７の操作部材７長手方向の移動を案内する形状に形成されている。なお、補助ばね９は、この実施形態では板ばね４の両端部４ａ、４ｂの間に設けているが、第１実施形態と同様にキャップ６装着部の近傍に設けてもよい。
【００４３】
そして、図１２の状態（操作部材７が初期位置にある状態）から、操作部材７の操作片１７を板ばね４側へ押して操作部材７を所定の係止位置まで移動させると、図１３に示したように、第１実施形態と同様、補助ばね９の弾性力によりキャップ６の環状溝６ａに係止片８の先端部８ａが嵌まり込んで操作部材７が係止されて、板ばね４の湾曲部４ｃの湾曲が大きくなり、その湾曲部４ｃがフィルタ２の前面を押圧して、フィルタ２が取付枠１のフィルタ受け面１３に押し付けられる。また、このように操作部材７が係止された状態から、操作片１７をガイドレール１５内へわずかに押し込めば、キャップ６の環状溝６ａが係止片８の先端部８ａから外れ、板ばね４の弾性復元により操作部材７が初期位置に戻る。
【００４４】
すなわち、この第２実施形態では、フィルタ装置の前面側からフィルタ押付機構３の操作部材７の操作片１７を操作して、簡単に操作部材７の係止とその解除を行うことができる。
【００４５】
上述した第１、第２実施形態では操作部材７を１箇所で係止するようにしたが、操作部材７の係止位置をその長手方向に沿って複数設定するようにしてもよい。例えば、第１、第２実施形態においてキャップ６の環状溝６ａを複数設ければ、ガスケット２４を含むフィルタ２を厚み寸法の異なるものに交換したときや、使用中にガスケット２４が経時劣化したときに、操作部材７の係止位置を変えることにより、板ばね４の湾曲部４ｃの湾曲量を調整して、適切な締め付け強度でフィルタ２とフィルタ受け面１３とを密着させることができる。
【００４６】
また、操作部材７の係止手段は、第１、第２実施形態のものに限らず、操作対象の部材を一度押すとロックし再度押すとそのロックが解除される機構、例えば、ノック式ボールペンに採用されているノックカム機構、キャビネットの扉を開閉するマグネット式のプッシュラッチ機構やガラス蝶番の機構等を用いることもできる。
【００４７】
また、上述した第１、第２実施形態は扉のない取付枠１にフィルタ２を組み込むフィルタ装置の例であるが、本発明は、図１４に示す第３の実施形態のように、フィルタ２が組み込まれるケーシング（枠体）３１にフィルタ２を出し入れするための開口部３２を設け、その開口部３２をケーシング３１に回動可能に取り付けた扉３３で開閉するタイプのフィルタ装置にももちろん適用できる。
【００４８】
図１４（ａ）に示すように、この第３実施形態では、ケーシング３１内に前後２つの内枠３４、３５が設けられ、ケーシング３１の一側面の開口部３２から両内枠３４、３５の間の空間へフィルタ２が組み込まれるようになっている。そして、その両内枠３４、３５の間に、フィルタ２後面の周縁部をフィルタ受け面１３となる後側の内枠３５の前面に押し付けるフィルタ押付機構３が設けられている。
【００４９】
この第３実施形態のフィルタ押付機構３は、板ばね４の一端部４ａがケーシング３１のフィルタ保持面１４となる前側の内枠３４の内側面に固定されており、操作部材７のキャップ６が初期位置ではケーシング３１の一側面から突出し、扉３３でケーシング３１の開口部３２を閉じたときに、扉３３の内側面の凸部３６によってケーシング３１内に押し込まれるように配されている。そのキャップ６がケーシング３１内に押し込まれたときの動作は、第１実施形態と同じであり、板ばね４の湾曲部４ｃの湾曲が大きくなって、その湾曲部４ｃがフィルタ２の前面を押圧し、フィルタ２後面の周縁部に設けられたガスケット２４が後側の内枠３５のフィルタ受け面１３に押し付けられて、フィルタ２がケーシング３１に固定される。
【００５０】
ここで、前記扉３３は、その先端側にクレセント錠の可動金具３７が回動可能に取り付けられており、ケーシング３１の開口部３２を閉じた状態で、この可動金具３７を回動させてケーシング３１に固定したクレセント錠の錠受け３８に係合させればロックできるようになっている。そして、このようにして扉３３をロックすることにより、扉３３の内側面の凸部３６に押されるフィルタ押付機構３の操作部材７を係止して、フィルタ２をフィルタ受け面１３に押し付けた状態を維持することができる。すなわち、この第３実施形態は、フィルタ押付機構３の操作部材７を係止するのに、ケーシング３１の開口部３２を開閉する扉３３を利用したものとなっている。したがって、操作部材７のキャップ６には第１実施形態のような環状溝６ａを設ける必要がなく、第１実施形態の係止片８もなくすことができる。
【００５１】
なお、この第３実施形態では、扉３３で押されたときの操作部材７の移動量を変えることにより、板ばね４の締め付け強度を調整することができる。操作部材７の移動量を変える手段としては、そのキャップ６を図１４（ｂ）に示すような伸縮ユニット３９に代える方法がある。この伸縮ユニット３９は、一端側開口から鉄芯５の他端部を圧入される筒状に形成され、他端側内周にめねじ部を有する装着片３９ａと、装着片３９ａの他端側内周にねじ込まれるボルト３９ｂと、ボルト３９ｂを回り止めするナット３９ｃとからなる。そして、図１４（ｂ）の状態からナット３９ｃを緩めてボルト３９ｂの装着片３９ａへのねじ込み位置を変えた後、図１４（ｃ）に示すように、ナット３９ｃを締め付けてボルト３９ｂを回り止めすることにより、伸縮ユニット３９全体の長さを変えて操作部材７の移動量を変えることができる。このほか、キャップ６を長さの異なるものに交換する、キャップ６と鉄芯５とをねじ結合させるか、あるいは、キャップ６を互いにねじ結合する２つのピースで構成して、そのねじ結合の長さを変える等の方法も採用できる。
【００５２】
また、上述した第１乃至第３の実施形態は、操作部材７を押して板ばね４の湾曲部４ｃの湾曲を大きくする形態のフィルタ押付機構３を採用したが、フィルタ押付機構３としては、図１５および図１６に示す第４の実施形態のように、操作部材７を引いて板ばね４の湾曲部４ｃの湾曲を大きくするものを採用することもできる。
【００５３】
この第４実施形態は、第１実施形態のフィルタ押付機構３を変形したもので、操作部材７の板ばね４をその一端と他端が第１実施形態と逆になるように配置し、キャップ６が装着されていない鉄芯５の他端部を直角に折り曲げて操作部５ｂを形成するとともに、ガイドレール１２のコの字の両端となる部位に、鉄芯５の操作部５ｂと係合する２段の切欠き１２ａ、１２ｂを設けて、鉄芯５の操作部５ｂが１段目の切欠き１２ａに係合する位置を操作部材７の初期位置としている。
【００５４】
そして、鉄芯５の操作部５ｂをガイドレール１２のコの字の開放側へ引くとともに回動させて２段目の切欠き１２ｂに係合させると、操作部材７が係止され、その初期位置からの長手方向移動に伴って、各板ばね４の湾曲部４ｃの湾曲が大きくなってその湾曲部４ｃでフィルタ２の前面を押圧するようになっている。また、鉄芯５の操作部５ｂをもう少し大きく引くとともに回動させてガイドレール１２の端面に係合させ、この位置で操作部材７を係止すると、ばね４の湾曲部４ｃの湾曲をさらに大きくできるので、第１、第２実施形態で複数の係止位置を設定した場合と同様、フィルタ２に貼り付けられるガスケット２４の厚み変化等に応じて適切な操作部材７の係止位置を選ぶことができる。
【００５５】
上述した第１乃至第４の実施形態では、フィルタ押付機構３の板ばね４の一端部を取付枠１のフィルタ保持面１４に固定して、その湾曲部４ｃでフィルタ２の前面を押圧するようにしたが、図１７乃至図２０に示す第５の実施形態のように、板ばね４の一端部をフィルタ２のフィルタ枠２２の前面に固定して、その湾曲部４ｃで取付枠１のフィルタ保持面１４を押圧するようにしてもよい。
【００５６】
この第５実施形態は、第１実施形態のフィルタ押付機構３の板ばね４、係止片８および補助ばね９を、それぞれの装置前後方向の向きを変えて、フィルタ２のフィルタ枠２２の前面に固定したものである。そして、第１実施形態と同様、操作部材７を図１９に示した初期位置から所定の係止位置まで移動させると、図２０に示したように、操作部材７が係止片８で係止され、板ばね４の湾曲部４ｃの湾曲が大きくなってその湾曲部４ｃで取付枠１のフィルタ保持面１４を押圧することにより、フィルタ２後面の周縁部に設けられたガスケット２４が取付枠１のフィルタ受け面１３に押し付けられるようになっている。したがって、この実施形態を採用すれば、既設のフィルタ装置の濾過性能の向上を図ろうとする際に、枠体を取り外すことなく容易に改造作業を行うことができる。
【００５７】
図２１は実施形態のフィルタ押付ユニット４０を示す。このフィルタ押付ユニット４０は、第１、第５実施形態のフィルタ押付機構３の板ばね４、操作部材７およびその係止手段と、板ばね４の一端部が固定され、取付枠１またはフィルタ２に取り付けられる取付板４１とをユニット化したものである。
【００５８】
具体的には、取付枠１またはフィルタ２に取り付けられる帯板状の取付板４１の一面側に、第１、第５実施形態のフィルタ押付機構３の２つの板ばね４の一端部４ａと、２つの補助ばね９をそれぞれ固定し、操作部材７の鉄芯５を各板ばね４の長孔４ｄ、４ｅおよび各補助ばね９の孔９ａに通して各板ばね４に連結し、操作部材７のキャップ６の環状溝６ａに嵌まり込んで操作部材７を係止する係止片８を取付板４１と一体に形成している。そして、取付板４１の他面側にはマグネットテープ４２が図示省略した両面テープで貼り付けられており、このマグネットテープ４２で鋼製の取付枠１やフィルタ２のフィルタ枠２２に取り付けられるようになっている。なお、取付板４１の取付枠１またはフィルタ２への取付手段としては、両面テープあるいは接着剤による貼り付けや溶接等も採用することができる。
【００５９】
図２２および図２３は、それぞれ第１実施形態および第５実施形態のフィルタ装置において、フィルタ押付機構３に代えて上記フィルタ押付ユニット４０を組み込んだ変形例を示す。このようにフィルタ押付機構３を取付板４１とともにユニット化したフィルタ押付ユニット４０を用いることにより、フィルタ装置の組み立てが容易になる。また、フィルタ押付ユニット４０は種々の仕様のフィルタ装置に組み込める汎用性の高いものとなるので、フィルタ装置全体の製作コストの低減が図れる。
【００６０】
そして、フィルタ押付ユニット４０を変形して操作部材７を複数の係止位置で係止可能とすれば、前述のようにフィルタ２に貼り付けられるガスケット２４の厚み変化等に対応して板ばね４の締め付け強度を調整できるようになる。
【００６１】
上記のようにフィルタ押付ユニット４０を変形した例を図２４（ａ）、（ｂ）に示し、この変形例のフィルタ押付ユニット４０を組み込んだ第６実施形態（の取付枠１の下側のガイドレール１２付近）を図２５乃至図２８に示す。
【００６２】
図２４のフィルタ押付ユニット４０は、図２１に示した実施形態のものをベースとし、その操作部材７の丸棒状（直軸状）の鉄芯５の外周面に、径方向に張り出すＵ字状の張出片５１を設けるとともに、図２１の鉤状の係止片８に代えて、操作部材７の張出片５１を通す平板状の係止片５２を取付板４１と一体に形成している。その係止片５２は、張出片５１を通す孔の周縁に、操作部材７の回動方向で張出片５１と対向し、操作部材７の長手方向に沿って階段状に形成された係止部５２ａを有している。そして、張出片５１が係止片５２の係止部５２ａの１段目部分に係合する位置を、操作部材７の初期位置としている。
【００６３】
また、図２１の補助ばね９に代えて、操作部材７の鉄芯５を通し、張出片５１を係止片５２の係止部５２ａに押し付ける付勢ばね５３を取付板４１に固定している。その付勢ばね５３は、取付板４１に固定される取付片５３ａと、張出片５１を押圧する押圧片５３ｂと、取付片５３ａと押圧片５３ｂの間で鉄芯５を通す案内片５３ｃとを、金属片の折り曲げによって形成したものである。その押圧片５３ｂは、張出片５１と当接する２箇所の間でＶ字状に折り曲げられ、張出片５１を確実に押圧できるようになっている。
【００６４】
また、操作部材７は、鉄芯５が各板ばね４および付勢ばね５３の案内片５３ｃに通されるとともに、取付板４１の他端の折曲部にも通され、その軸心まわりに回動自在に保持されている。その鉄芯５と板ばね４との連結構造は、図７に示したものと同様に、鉄芯５の外周に嵌め込んだＥリング１６を板ばね４の他端部４ｂの外側面に当接させている。そして、取付板４１の折曲部から突出する鉄芯５の他端部に、図２１のキャップ６に代わる板状の操作つまみ５４が取り付けられている。
【００６５】
図２５および図２６（ａ）、（ｂ）に示すように、第６実施形態のフィルタ装置は、第１実施形態をベースとしており、そのフィルタ押付機構３に代えて図２４のフィルタ押付ユニット４０を組み込んだものである。
【００６６】
この第６実施形態では、フィルタ押付ユニット４０は、操作部材７の操作つまみ５４が取付枠１のガイドレール１２の端面から突出する状態で、マグネットテープ４２によってガイドレール１２のフィルタ保持面１４に取り付けられている。その付勢ばね５３は、押圧片５３ｂが図２６（ａ）に二点鎖線で示す自然状態から実線の位置で操作部材７の張出片５１に当接するまで弾性変形した状態で組み込まれることにより、張出片５１を係止片５２の階段状の係止部５２ａに押し付けるようになっている。なお、ガイドレール１２には、操作部材７の張出片５１を突出させて所定範囲で回動可能とするための開口１２ｃが設けられている（図２６（ｂ））。
【００６７】
そして、図２５、図２６に示した状態（操作部材７が初期位置にある状態）から、操作部材７の操作つまみ５４をガイドレール１２内側の方へ押して操作部材７を所定の第１係止位置まで長手方向に移動させると、図２７および図２８（ａ）、（ｂ）に示すように、付勢ばね５３の弾性力により、操作部材７全体が回動してその張出片５１が係止片５２の階段状の係止部５２ａの２段目部分に押し付けられる。このとき、フィルタ押付ユニット４０の各板ばね４は、第１実施形態と同様に、湾曲部４ｃの湾曲が大きくなって、その湾曲部４ｃでフィルタ２の前面を押圧するとともに、その弾性力によって操作部材７の長手方向で鉄芯５を介して張出片５１を係止片５２に押し付けている。これにより、操作部材７が第１係止位置で係止され、フィルタ２の後面のガスケット２４が取付枠１のフィルタ受け面１３に押し付けられた状態で、フィルタ２が取付枠１に固定される。
【００６８】
また、図２７、図２８に示した状態から、操作部材７の操作つまみ５４をさらに押して操作部材７を所定の第２係止位置まで長手方向に移動させると、図２８（ｂ）に二点鎖線で示すように操作部材７全体が回動し、その張出片５１が係止片５２の係止部５２ａの３段目部分に押し付けられて、操作部材７が第２係止位置で係止されるとともに、板ばね４の湾曲部４ｃの湾曲がさらに大きくなる。
【００６９】
したがって、フィルタ２のガスケット２４の経時劣化による厚み減少や、ガスケット２４を含むフィルタ２の交換による厚み変化等に応じて、操作部材７を適切な係止位置で係止することにより、板ばね４の弾性変形の大きさを調整して、適度な締め付け強度でフィルタ２とフィルタ受け面１３とを密着させ、濾過性能を確保することができる。
【００７０】
一方、フィルタ２を取付枠１から取り外すときは、操作部材７が第１係止位置または第２係止位置で係止されている状態から、操作つまみ５４を回して図２５および図２６に示した初期状態の回動方向位置まで戻す。すると、操作部材７全体が回動し、これに伴って張出片５１が係止片５２の係止部５２ａから離れて、操作部材７の係止状態が解除され、各板ばね４の湾曲部４ｃが弾性復元して自動的に図２５、図２６の状態に戻る。これにより、フィルタ２の取付枠１への押し付け状態も解除され、取付枠１からフィルタ２を取り外せるようになる。
【００７１】
そして、この第６実施形態では、上述のように、操作部材７を第１係止位置または第２係止位置で係止するときや、その係止状態を解除するときに、操作部材７が回動するだけでたわむことがないので、前述の第１、第２および第５実施形態の操作部材７のキャップ６を係止片８に対して脱着する際に操作部材７の鉄芯５をたわませる必要があるのに比べて、操作部材７の係止およびその解除が行いやすいという利点もある。
【００７２】
図２９（ａ）、（ｂ）は、図２４とは別のフィルタ押付ユニット４０の変形例を示す。この変形例は図２４のものと同じ機能を有するが、構成および動作に図２４のものと異なる点があるので、その相違点を説明し、共通する点については説明を省略する。
【００７３】
図２９のフィルタ押付ユニット４０は、図２４のものと同じく図２１に示した実施形態のものをベースとしているが、操作部材７を所定位置で係止する係止手段が２つの板ばね４の間に設けられており、その係止手段を構成する係止片５２は取付板４１の長手方向中央部に一体形成されている。そして、操作部材７の鉄芯５には張出片５１と径方向で対向する位置に径方向に延びる突軸５５が設けられており、この突軸５５を付勢ばね５３が押圧するようになっている。このため、係止片５２の係止部５２ａの階段形状が図２４と上下で逆に形成され、付勢ばね５３の押圧片５３ｂは突軸５５を押圧する中央部が湾曲した形状に形成されている。また、操作部材７の他端には図２４の操作つまみ５４がなく、その代わりとして張出片５１を操作するようになっている。
【００７４】
図３０乃至図３３は、第２実施形態のフィルタ押付機構３に代えて、図２９のフィルタ押付ユニット４０を組み込んだ第７実施形態のフィルタ装置（の取付枠１の下側のガイドレール１５付近）を示す。
【００７５】
この第７実施形態では、図３０および図３１に示すように、フィルタ押付ユニット４０は、操作部材７の張出片５１が取付枠１のガイドレール１５の長孔１８から前面側へ突出する状態で、マグネットテープ４２によってガイドレール１５のフィルタ保持面１４に取り付けられている。その付勢ばね５３は、押圧片５３ｂが操作部材７の突軸５５を下方に押圧することにより、張出片５１を押し上げて係止片５２の係止部５２ａに押し付けるようになっている。なお、ガイドレール１５の長孔１８は、ガイドレール１５の幅方向中央に設けられ、操作部材７の張出片５１が所定範囲で回動可能となるように第２実施形態よりも広幅に形成されている。
【００７６】
そして、図３０、図３１に示した状態（操作部材７が初期位置にある状態）から、操作部材７の張出片５１を図３０の右方向へ押して操作部材７を所定の第１係止位置まで長手方向に移動させると、図３２および図３３に示すように、付勢ばね５３の弾性力により、操作部材７全体が回動してその張出片５１が係止片５２の階段状の係止部５２ａの２段目部分に押し付けられる。これにより、フィルタ押付ユニット４０の各板ばね４の湾曲部４ｃの湾曲が大きくなって、操作部材７が第１係止位置で係止され、フィルタ２の後面のガスケット２４が取付枠１のフィルタ受け面１３に押し付けられた状態で、フィルタ２が取付枠１に固定される。このメカニズムは第６実施形態と同じである。
【００７７】
また、図３２、図３３に示した状態から、操作部材７の張出片５１をさらに押して操作部材７を所定の第２係止位置まで長手方向に移動させることにより、操作部材７を第２係止位置で係止して、板ばね４の湾曲部４ｃの湾曲をさらに大きくできること、操作部材７が係止されている状態から、張出片５１を付勢ばね５３の押圧方向と逆の方向に押して操作部材７全体を回動させるだけで、操作部材７の係止状態を解除して、図３０、図３１の状態に戻せることも、第６実施形態と同じである。
【００７８】
したがって、第６実施形態と同じく、ガスケット２４を含むフィルタ２の厚み変化に応じて、適度な締め付け強度でフィルタ２とフィルタ受け面１３とを密着させて濾過性能を確保できるし、操作部材７の係止およびその解除が行いやすいという利点がある。
【００７９】
上述した第１乃至第７実施形態のフィルタ装置では取付枠１に一つのフィルタ２を組み込んでいるが、図３４乃至図３６に示す第８実施形態および図３７乃至図４１に示す第９実施形態のフィルタ装置は、横長に形成された取付枠１に複数のフィルタ２を横一列に並ぶ状態で組み込んだものである。
【００８０】
図３４および図３５に示すように、第８実施形態のフィルタ装置は、三つのフィルタ２を順次取付枠１の一側からガイドレール１２のなすコの字の内側へ、第１実施形態と同様にスライドさせて組み込むようになっている。そのガイドレール１２は、第２実施形態と同様の長孔１８が各フィルタ２に対して上下一対ずつあけられている。そして、ガイドレール１２の上辺部および下辺部の内側には、第２実施形態のフィルタ押付機構３を取付板４１とともにユニット化したフィルタ押付ユニット４０が、そのフィルタ押付機構３の操作片１７をガイドレール１２の長孔１８から前面へ突出させる状態で、各フィルタ２に対して一対ずつ設けられている。
【００８１】
前記フィルタ押付ユニット４０は、図３６に示すように、取付板４１の一面側に、第２実施形態のフィルタ押付機構３の２つの板ばね４の一端部４ａと２つの補助ばね９と係止片８を固定し、操作部材７の鉄芯５を各板ばね４の長孔４ｄ、４ｅおよび各補助ばね９の孔９ａに通して各板ばね４に連結し、鉄芯５に設けた操作片１７をガイドレール１２の長孔１８に対応するように取付板４１にあけた長孔４１ａから突出させたもので、その取付板４１が他面側に設けられたマグネットテープ等（図示省略）で取付枠１のガイドレール１２の内側面（フィルタ保持面）に取り付けられる。
【００８２】
すなわち、この第８実施形態では、取付枠１に複数のフィルタ２を組み込んだフィルタ装置の前面側からフィルタ押付ユニット４０の操作片１７を操作して、各フィルタ２の着脱を行えるようになっている。
【００８３】
図３７および図３８に示すように、第９実施形態のフィルタ装置は、第８実施形態と同じく、三つのフィルタ２を順次取付枠１の一側からガイドレール１２のなすコの字の内側へスライドさせて組み込むようになっている。各フィルタ２は、隣り合うものと対向するフィルタ枠２２外側面に面ファスナー２５が取り付けられ、隣り合うものと連結されるようになっている。なお、面ファスナー２５に代えてフィルタ２どうしを連結する連結金具等を用いることもできる。そして、ガイドレール１２の上辺部および下辺部の内側には、図３９に示すフィルタ押付ユニット４０が、そのフィルタ押付機構３の操作ねじ４３の頭部をガイドレール１２の端面から突出させる状態で、各フィルタ２に対して一対ずつ設けられている（図４０参照）。
【００８４】
前記フィルタ押付ユニット４０は、図３９および図４０に示すように、第１実施形態の板ばね４と、第１実施形態の鉄芯５を連結片４４で前記操作ねじ４３と連結した操作部材７と、鉄芯５を通して長手方向移動を案内するガイド片４５と、操作ねじ４３とねじ結合する固定ナット４６とでフィルタ押付機構３を構成し、このフィルタ押付機構３を取付枠１のガイドレール１２の内側面に取り付けられる取付板４１とともにユニット化したものである。その板ばね４の一端部４ａとガイド片４５は取付板４１の一面側に固定されており、連結片４４は鉄芯５の端部に固定され、操作ねじ４３の先端が回転自在に嵌め込まれるものとなっている。また、固定ナット４６は取付板４１の端部を直角に折り曲げて形成したナット取付部４１ｂの内側面に固定されており、このナット取付部４１ｂを貫通する操作ねじ４３を固定ナット４６とねじ結合させることにより、操作部材７が長手方向移動可能かつ任意の位置で係止可能となっている。そして、取付板４１は、図２１のものと同じくマグネットテープ４２で取付枠１のガイドレール１２の内側面（フィルタ保持面１４）に取り付けられる。
【００８５】
この第９実施形態では、図４０に示すように操作ねじ４３の位置が所定の初期範囲にあれば、複数のフィルタ２をフィルタ押付機構３と干渉することなくスムーズに取付枠１にセットできる。そして、図４０の状態から操作ねじ４３を適度に締め込むことにより、図４１に示すように、連結片４４を介して鉄芯５が回転することなく操作ねじ４３と反対の側へ長手方向移動し、板ばね４の湾曲部４ｃの湾曲が大きくなってその湾曲部４ｃがフィルタ２の前面を押圧し、フィルタ２が取付枠１のフィルタ受け面１３に押し付けられる。すなわち、取付枠１に複数のフィルタ２を組み込んだフィルタ装置の一側からフィルタ押付ユニット４０の操作ねじ４３を操作して、各フィルタ２の着脱を行えるようになっている。しかも、操作ねじ４３の締込量を変えることによって操作部材７を任意の位置で係止できるので、フィルタ２の厚み寸法が多少変化しても、確実にフィルタ２を取付枠１に押付固定することができる。
【００８６】
上述した第１乃至第９の実施形態では、フィルタ２のフィルタ枠２２の前面とこれに対向する取付枠１のフィルタ保持面１４との間にフィルタ押付機構３（またはこれを含むフィルタ押付ユニット４０）を配したが、フィルタ押付機構３（フィルタ押付ユニット４０）は、図４２乃至図４８に示す第１０の実施形態のように、フィルタ枠２２の内側に配することもできる。
【００８７】
この第１０実施形態は、第５実施形態のフィルタ装置において、フィルタ２のフィルタ枠２２前面に設けたフィルタ押付機構３に代えて、図４３に示すフィルタ押付ユニット４０をフィルタ枠２２の上辺部および下辺部の内側に組み込んだものである。そのフィルタ枠２２は、前面側の側壁にフィルタ押付ユニット４０の各板ばね４の湾曲部４ｃを一部通す窓２２ａがあけられ、一側（図面左側）の側壁にフィルタ押付ユニット４０の操作部材７のキャップ６を通す孔２２ｂがあけられている。
【００８８】
前記フィルタ押付ユニット４０は、図２１で示した実施形態の取付板４１を断面コの字状に変形したもので（図４３参照）、そのコの字断面の開口をフィルタ２前面側に向けた姿勢でフィルタ枠２２の前面側のコの字断面部に嵌め込まれる（図４６参照）。そして、図４２、図４４乃至図４６に示すように、板ばね４の湾曲部４ｃの中央部分（押圧部）をフィルタ枠２２の前面の窓２２ａに臨ませ、キャップ６の先端部をフィルタ枠２２の左側の孔２２ｂから突出させた状態で、フィルタ枠２２の前面側の側壁からねじ込まれる止めねじ４７によって取付板４１をフィルタ枠２２に固定されている。
【００８９】
この第１０実施形態におけるフィルタ着脱動作は、第５実施形態と基本的に同じであり、図４４乃至図４６に示した初期状態からキャップ６を押し込んで操作部材７を所定の係止位置まで移動させると、図４７および図４８に示すように、操作部材７が係止片８で係止され、板ばね４の湾曲部４ｃの湾曲が大きくなって、フィルタ枠２２の窓２２ａから突出した板ばね４の押圧部で取付枠１のフィルタ保持面１４を押圧することにより、フィルタ２後面が取付枠１のフィルタ受け面１３に押し付けられるようになっている。
【００９０】
図４９は第１１実施形態のフィルタ装置に組み込まれるフィルタ２を示す。このフィルタ２は、図５０に示すフィルタ押付ユニット４０を、第１０実施形態と同様にフィルタ枠２２の内側に組み込んだものである。第１０実施形態のフィルタ２との相違点は、操作部材７のキャップ６をフィルタ枠２２内に収める代わりに、キャップ６装着部の近傍で鉄芯５に設けた第２実施形態と同様の操作片１７をフィルタ枠２２からフィルタ２前面と平行に突出させて、フィルタ装置の前面側から操作片１７を操作できるようにしている点と、板ばね４の数を一つにしてフィルタ２幅中央位置に配した点である。なお、フィルタ枠２２およびフィルタ押付ユニット４０の取付板４１には、それぞれ操作片１７を通してその操作部材７長手方向の移動を案内する長孔２２ｃ、４１ａがあけられている。そして、操作片１７を操作することにより、第１０実施形態でキャップ６を操作したときと同様にフィルタ着脱動作を行うことができる。
【００９１】
図５１は、図２４のフィルタ押付ユニット４０を、図４３、図５０のものと同様にフィルタ枠２２の内側に組み込めるように変形した例を示す。この変形例は、取付板４１が図４３、図５０のものと同じく断面コの字状に形成され、その内側面に板ばね４と付勢ばね５３とが取り付けられている。その板ばね４は、湾曲部４ｃの凸となる向きが図２４と逆になるように配され、付勢ばね５３は、取付片５３ａの一端に鉄芯５を通す案内片５３ｃが形成され、他端に操作部材７の張出片５１を押圧する押圧片５３ｂが形成されている。
【００９２】
また、取付板４１は、その他端の折曲部の切欠きに操作部材７の鉄芯５を通されるようになっており、他端側の一部が付勢ばね５３の押圧片５３ｂと干渉しないように切り欠かれている（図５３参照）。そして、係止片５２の係止部５２ａの３段目部分をなくして、フィルタ押付ユニット４０をフィルタ枠２２の内側に組み込んだときに、フィルタ枠２２の一部が係止部５２ａの３段目部分の役割を果たすようにしている（図５２、図５４参照）。また、取付板４１のフィルタ枠２２への取り付けは、後述するように止めねじで行われる。その他の部分の構成および機能は、図２４のものと同じである。
【００９３】
図５２乃至図５５は、第１０実施形態をベースとして、図５１のフィルタ押付ユニット４０を図４３のものに代えて組み込んだ第１２実施形態のフィルタ装置（の取付枠１の下側のガイドレール１２付近）を示す。
【００９４】
この第１２実施形態では、図５２および図５３（ａ）、（ｂ）に示すように、フィルタ押付ユニット４０は、操作部材７の鉄芯５の他端部をフィルタ枠２２の孔２２ｂに通し、操作つまみ５４を取付枠１のガイドレール１２の端面から突出させ、板ばね４の湾曲部４ｃの中央部分（押圧部）をフィルタ枠２２の前面の窓２２ａに臨ませた状態で、第１０実施形態と同様に、止めねじ４７によって取付板４１をフィルタ枠２２に固定されている。なお、図示は省略するが、フィルタ枠２２およびガイドレール１２には、それぞれ操作部材７の張出片５１を突出させて所定範囲で回動可能とするための開口が設けられている。
【００９５】
そして、図５２、図５３に示した状態（操作部材７が初期位置にある状態）から、操作部材７の操作つまみ５４をガイドレール１２内側の方へ押して操作部材７を所定の第１係止位置まで長手方向に移動させると、図５４および図５５（ａ）、（ｂ）に示すように、付勢ばね５３の弾性力により、操作部材７全体が回動してその張出片５１が係止片５２の階段状の係止部５２ａの２段目部分に押し付けられる。これにより、フィルタ押付ユニット４０の各板ばね４の湾曲部４ｃの湾曲が大きくなって、操作部材７が第１係止位置で係止されるとともに、フィルタ枠２２の窓２２ａから突出した板ばね４の押圧部が取付枠１のフィルタ保持面１４を押圧し、フィルタ２後面が取付枠１のフィルタ受け面１３に押し付けられる。
【００９６】
また、図５４、図５５に示した状態から、操作部材７の操作つまみ５４をさらに押して操作部材７を所定の第２係止位置まで長手方向に移動させると、図５５（ｂ）に二点鎖線で示すように操作部材７全体が回動し、その張出片５１がフィルタ枠２２の一部に押し付けられて、操作部材７が第２係止位置で係止されるとともに、板ばね４の湾曲部４ｃの湾曲がさらに大きくなる。そして、操作部材７が係止されている状態から、張出片５１を付勢ばね５３の押圧方向と逆の方向に押して操作部材７全体を回動させるだけで、操作部材７の係止状態を解除して、図５２、図５３の状態に戻すことができる。
【００９７】
したがって、前述の第６、第７実施形態と同様、ガスケット２４を含むフィルタ２の厚み変化に対して濾過性能を確保しやすいし、操作部材７の係止およびその解除も行いやすい。
【００９８】
上述した第１０乃至第１２実施形態では、フィルタ押付機構３（フィルタ押付ユニット４０）がフィルタ枠２２の内側に配され、初期状態では板ばね４の湾曲部４ｃもほとんどフィルタ枠２２から突出していないため（図４５および図４６、図５２および図５３参照）、フィルタ２の前面側の外観がすっきりするし、フィルタ２を取扱う際にフィルタ押付機構３の各部品によってケガをするおそれも少ないという利点がある。
【００９９】
図５６乃至図６１は第１３の実施形態を示す。この実施形態は、図５６および図５７に示すように、第８、第９実施形態と同様に取付枠１に三つのフィルタ２を一列に並ぶ状態で組み込むフィルタ装置において、フィルタ押付ユニット４０を第１０乃至第１２実施形態と同様にフィルタ枠２２の内側に組み込んだものである。
【０１００】
この第１３実施形態では、取付枠１に組み込まれる三つのフィルタ２の構成が互いにわずかに異なっており、各フィルタ２にフィルタ押付ユニット４０を三分割した第１乃至第３の分割ユニット４０ａ、４０ｂ、４０ｃが別々に組み込まれている（図６０参照）。
【０１０１】
まず、取付枠１の一側（図５６、図５７の左側）に組み込まれるフィルタ２は、フィルタ枠２２の前面側の側壁にフィルタ押付ユニット４０の各板ばね４の湾曲部４ｃを一部通す窓２２ａが、左側の側壁にフィルタ押付ユニット４０の操作部材７の操作ねじ４３を通す孔２２ｂがあけられている。また、フィルタ枠２２の右側の側壁には、中央のフィルタ２と連結するための平面視Ｌ字状の連結部２６が設けられ、後述するようにフィルタ押付ユニット４０を一体化するための窓２２ｄがあけられている（図６１参照）。
【０１０２】
この左側のフィルタ２のフィルタ枠２２の内側に、図５８に示す第１分割ユニット４０ａが組み込まれている。第１分割ユニット４０ａは、図５８、図５９および図６０（ａ）に示すように、第９実施形態のフィルタ押付ユニット４０の板ばね４をその一端と他端が逆になるように配置して、操作部材７の鉄芯５と操作ねじ４３とをスイベル４８で相対回転自在に連結し、取付板４１を断面コの字状に変形するとともに、鉄芯５の右側の端部に第２分割ユニット４０ｂの鉄芯５と連結するための平面視略コの字状の連結器４９を固定したものである。そして、第１０乃至第１２実施形態のフィルタ押付ユニット４０と同様に、取付板４１のコの字断面の開口をフィルタ２前面側に向けた姿勢でフィルタ枠２２の前面側のコの字断面部に嵌め込まれ、操作ねじ４３をフィルタ枠２２の左側の孔２２ｂから、連結器４９をフィルタ枠２２の右側の窓２２ｄからそれぞれ一部突出させた状態で、フィルタ枠２２の前面側の側壁からねじ込まれる止めねじ４７によって取付板４１をフィルタ枠２２に固定されている。
【０１０３】
また、中央のフィルタ２は、図５６および図６０（ｂ）に示すように、フィルタ枠２２の左側の側壁に、左側のフィルタ２の連結部２６と嵌合する平面視Ｌ字状の連結部２７が設けられ、操作ねじ４３を通す孔２２ｂの代わりに窓２２ｄがあけられている。その他の構成は左側のフィルタ２と同じである。
【０１０４】
この中央のフィルタ２のフィルタ枠２２の内側に、図５７および図６０（ｂ）に示すように、第２分割ユニット４０ｂが組み込まれている。第２分割ユニット４０ｂは、第１分割ユニット４０ａの操作部材７の操作ねじ４３、固定ナット４６、スイベル４８および取付板４１のナット取付部４１ｂをなくし、鉄芯５を左側へ延長して、その先端に第１分割ユニット４０ａの連結器４９と嵌合する平面視略コの字状の連結器５０を固定したものである。そして、第１分割ユニット４０ａと同じ姿勢でフィルタ枠２２の前面側のコの字断面部に嵌め込まれ、両側の連結器４９、５０をフィルタ枠２２の両側の窓２２ｄからそれぞれ一部突出させた状態で、第１分割ユニット４０ａと同様にフィルタ枠２２に固定されている。
【０１０５】
また、右側のフィルタ２は、図６０（ｃ）に示すように、フィルタ枠２２の右側の側壁に連結部２６および窓２２ｄがないほかは中央のフィルタ２と同じ構成である。
【０１０６】
この右側のフィルタ２のフィルタ枠２２の内側に、図５７および図６０（ｃ）に示すように、第３分割ユニット４０ｃが組み込まれている。第３分割ユニット４０ｃは、鉄芯５の右側の端部に連結器４９が固定されてないほかは第２分割ユニット４０ｂと同じ構成である。
【０１０７】
上述した三つのフィルタ２を組み込む際には、予め各フィルタ２を互いに連結して一体化しておく。フィルタ２どうしの連結は、その一方のフィルタ枠２２の右側の側壁を他方のフィルタ枠２２の左側の側壁に沿って平行にスライドさせることによって、フィルタ枠２２の連結部２６、２７どうしを嵌合させる。このとき、第１分割ユニット４０ａと第２分割ユニット４０ｂ、または第２分割ユニット４０ｂと第３分割ユニット４０ｃの操作部材７の連結器４９、５０どうしも嵌合するので、三つのフィルタ２を一体化すると、同時にフィルタ押付ユニット４０も一体化される（図６１参照）。
【０１０８】
そして、一体化した三つのフィルタ２をガイドレール１２のなすコの字の内側へスライドさせてセットした後、図４４に一点鎖線で示すように操作ねじ４３を抜き出す方向に回転させると、スイベル４８を介して各分割ユニット４０ａ、４０ｂ、４０ｃの鉄芯５が回転することなく一体に操作ねじ４３の側へ長手方向移動し、板ばね４の湾曲部４ｃの湾曲が大きくなって、フィルタ枠２２の窓２２ａから突出した板ばね４の押圧部が取付枠１のフィルタ保持面１４を押圧し、各フィルタ２が取付枠１のフィルタ受け面１３に押し付けられる。
【０１０９】
なお、この第１３実施形態でも、操作ねじ４３の抜出量を変えることによって、第９実施形態と同様、フィルタ押付ユニット４０の各分割ユニット４０ａ、４０ｂ、４０ｃの操作部材７を任意の位置で係止できるので、フィルタ２の厚み寸法が多少変化しても、確実にフィルタ２を取付枠１に押付固定できる。
【０１１０】
上述した各実施形態では、フィルタ２の空気流入側となる前面側にフィルタ押付機構３（またはこれを含むフィルタ押付ユニット４０）を設けて、フィルタ２を空気流出側となる後面側へ押すようにしたが、これとは逆に、フィルタ２の後面側に設けたフィルタ押付機構３でフィルタ２を前面側へ押すようにすることもできる。
【０１１１】
また、フィルタ押付機構の板ばねは、実施形態のように一端部と他端部の間に湾曲部が形成されたものに限らず、例えば実施形態の板ばね４の他端部４ｂをなくし、一端部４ａの近傍で操作部材７の鉄芯５に連結されるようにしたもの等、一端部からフィルタの他面に対して傾斜した方向に延びる傾斜部を有し、一端部を除く部位で操作部材に連結され、傾斜部とフィルタ他面とのなす角度が大きくなったときに、傾斜部の他端側に形成された押圧部で、フィルタの他面または枠体のフィルタ保持面を押圧するようになっているものであればよい。
【符号の説明】
【０１１２】
１  取付枠（枠体）
２  フィルタ
３  フィルタ押付機構
４  板ばね
４ａ  一端部
４ｂ  他端部
４ｃ  湾曲部
４ｄ、４ｅ  長孔
５  鉄芯
５ａ  小径部
５ｂ  操作部
６  キャップ
６ａ  環状溝
７  操作部材
８  係止片
９  補助ばね
１０  解除片
１１  取付部
１２  ガイドレール
１２ａ、１２ｂ  切欠き
１３  フィルタ受け面
１４  フィルタ保持面
１５  ガイドレール
１６  Ｅリング
１７  操作片
１８  長孔
２１  濾材
２２  フィルタ枠
２２ａ  窓
２４  ガスケット
２５  面ファスナー
２６、２７  連結部
３１  ケーシング（枠体）
３２  開口部
３３  扉
３４、３５  内枠
３７  クレセント錠の可動金具
３８  クレセント錠の錠受け
３９  伸縮ユニット
４０  フィルタ押付ユニット
４０ａ、４０ｂ、４０ｃ  分割ユニット
４１  取付板
４３  操作ねじ
４４  連結片
４５  ガイド片
４６  固定ナット
４７  止めねじ
４８  スイベル
４９、５０  連結器
５１  張出片
５２  係止片
５２ａ  係止部
５３  付勢ばね
５４  操作つまみ
【要約】
【課題】部品点数が少なく簡単な構造で濾過性能を確保でき、フィルタの交換も容易に行えるフィルタ装置を提供する。
【解決手段】取付枠（枠体）１に組み込まれたフィルタ２の前面（他面）側で一端部４ａを取付枠１のフィルタ保持面１４に固定され、一端部４ａと他端部４ｂの間にフィルタ２前面に向かって凸となる湾曲部４ｃが形成された板ばね４と、板ばね４の長手方向に沿って延び、板ばね４の他端部４ｂと連結された操作部材７とを備え、操作部材７を長手方向に移動させて所定の係止位置で係止したときに、板ばね４の湾曲部４ｃの湾曲が大きくなってその湾曲部４ｃでフィルタ２の前面を押圧し、フィルタ２の後面（一面）の周縁部を取付枠１のフィルタ受け面１３に押し付けるフィルタ押付機構３を設けることにより、濾過性能を確保するための構成を簡単にし、フィルタ２交換も容易に行えるようにした。
【選択図】図６【図１】
0005855301.tif 000002
【図２】
0005855301.tif 000003
【図３】
0005855301.tif 000004
【図４】
0005855301.tif 000005
【図５】
0005855301.tif 000006
【図６】
0005855301.tif 000007
【図７】
0005855301.tif 000008
【図８】
0005855301.tif 000009
【図９】
0005855301.tif 000010
【図１０】
0005855301.tif 000011
【図１１】
0005855301.tif 000012
【図１２】
0005855301.tif 000013
【図１３】
0005855301.tif 000014
【図１４】
0005855301.tif 000015
【図１５】
0005855301.tif 000016
【図１６】
0005855301.tif 000017
【図１７】
0005855301.tif 000018
【図１８】
0005855301.tif 000019
【図１９】
0005855301.tif 000020
【図２０】
0005855301.tif 000021
【図２１】
0005855301.tif 000022
【図２２】
0005855301.tif 000023
【図２３】
0005855301.tif 000024
【図２４】
0005855301.tif 000025
【図２５】
0005855301.tif 000026
【図２６】
0005855301.tif 000027
【図２７】
0005855301.tif 000028
【図２８】
0005855301.tif 000029
【図２９】
0005855301.tif 000030
【図３０】
0005855301.tif 000031
【図３１】
0005855301.tif 000032
【図３２】
0005855301.tif 000033
【図３３】
0005855301.tif 000034
【図３４】
0005855301.tif 000035
【図３５】
0005855301.tif 000036
【図３６】
0005855301.tif 000037
【図３７】
0005855301.tif 000038
【図３８】
0005855301.tif 000039
【図３９】
0005855301.tif 000040
【図４０】
0005855301.tif 000041
【図４１】
0005855301.tif 000042
【図４２】
0005855301.tif 000043
【図４３】
0005855301.tif 000044
【図４４】
0005855301.tif 000045
【図４５】
0005855301.tif 000046
【図４６】
0005855301.tif 000047
【図４７】
0005855301.tif 000048
【図４８】
0005855301.tif 000049
【図４９】
0005855301.tif 000050
【図５０】
0005855301.tif 000051
【図５１】
0005855301.tif 000052
【図５２】
0005855301.tif 000053
【図５３】
0005855301.tif 000054
【図５４】
0005855301.tif 000055
【図５５】
0005855301.tif 000056
【図５６】
0005855301.tif 000057
【図５７】
0005855301.tif 000058
【図５８】
0005855301.tif 000059
【図５９】
0005855301.tif 000060
【図６０】
0005855301.tif 000061
【図６１】
0005855301.tif 000062